(57)【要約】【課題】印刷カードの搬送手段を熱により劣化させるこなく、良好に搬送できるようにする。【解決手段】印刷カードＫの表面に表面保護膜２を転写する表面保護膜転写部３と、この表面保護膜転写部３によって表面保護膜２が転写された印刷カードＫを搬送する搬送機構３４と、この搬送機構３４により搬送される印刷カードＫの表面保護膜２に紫外線を照射して硬化させる紫外線ランプ３１とを具備し、搬送機構３４は、方向変換板３６と、この方向変換板３６の表面に設けられ、印刷カードＫを載置する高耐熱性の複数本の毛体３５と、方向変換板３６に振動を付与することにより毛体３５を伸縮運動させて印刷カードＫを搬送させる振動発生装置３９とを具備する。【選択図】    図１
2004307102.tif 000002
【特許請求の範囲】
【請求項１】
媒体の表面に表面保護膜を転写する転写手段と、
この転写手段によって表面保護膜が転写された媒体を搬送する搬送手段と、
この搬送手段により搬送される媒体の表面保護膜に紫外線を照射して硬化させる紫外線照射手段とを具備し、
前記搬送手段は、
基材と、
この基材の表面に設けられ、前記媒体を載置する耐熱性の複数本の毛体と、
前記基材に振動を付与することにより前記毛体を伸縮運動させて前記媒体を搬送させる振動付与手段と
を具備することを特徴とする媒体処理装置。
【請求項２】
前記毛体は前記媒体の搬送方向に向かって所定角度倒れるように傾斜することを特徴とする請求項１記載の媒体処理装置。
【請求項３】
前記毛体は複数の毛材によって構成されることを特徴とする請求項１記載の媒体処理装置。
【請求項４】
前記毛体の先端部はカール状に形成されたことを特徴とする請求項１記載の媒体処理装置。
【請求項５】
前記基材の表面に対向して固定的に設けられる固定板と、
この固定板に複数設けられ、前記毛体を挿通させる通孔と、
前記基材を前記媒体の搬送方向に沿って往復動させることにより、前記毛体の傾斜方向を可変する可変手段と
を具備することを特徴とする請求項２乃至４項の何れか一項に記載された媒体処理装置。
【請求項６】
前記毛体は耐熱性の樹脂材或いは金属材料によって成形されることを特徴とする請求項２乃至５項の何れか一項に記載された媒体処理装置。
【請求項７】
媒体の表面に表面保護膜を転写する転写工程と、
この転写工程によって表面保護膜が転写された媒体を搬送する搬送工程と、
この搬送工程により搬送される媒体の表面保護膜に紫外線を照射して硬化させる紫外線照射工程とを具備し、
前記搬送工程は、基材の表面に設けられ、前記媒体を載置する耐熱性の複数本の毛体に対して振動を付与して伸縮運動させることにより前記媒体を搬送させることを特徴とする媒体処理方法。
【発明の詳細な説明】
【０００１】
【発明の属する技術分野】
本発明は、例えば、ＩＤカードと称される個人識別カード等の照明カードを作成する媒体処理装置及び媒体処理方法に関する。
【０００２】
【従来の技術】
この種の媒体処理装置には、印刷カードを収納するカードホッパを備え、このカードホッパから印刷カードを取り出して表面保護膜転写部に搬送し、ここで、印刷カードの表面に表面保護膜を転写し、この転写後、印刷カードを表面保護膜の硬化部に搬送して紫外線を照射することにより、表面保護膜を硬化させるものが知られている。
【０００３】
ところで、表面保護膜の硬化部においては、印刷カードを搬送する搬送ベルトと、この搬送ベルトによって搬送される印刷カードの表面保護膜に紫外線を照射する紫外線ランプ等を備えている（例えば、特許文献１参照。）。
【０００４】
【特許文献１】
特開平７−３１４９６０号公報
【０００５】
【発明が解決しようとする課題】
しかしながら、従来においては、搬送ベルトの耐熱性が十分なものでないため、表面保護膜の硬化部の庫内が、千数百度の高温状態になることから、搬送ベルトが劣化して印刷カードの搬送にムラが発生し、良好な搬送が期待できなくなる虞があった。
【０００６】
また、搬送ベルトと印刷カードとは全面的に接触されるため、接触面積が大きく、搬送ベルトの表面の劣化によりカスが生じると、このカスが印刷カードの裏面に多量に付着して印刷カードを汚してしまうことがある。
【０００７】
さらに、搬送ベルトとこの搬送ベルトを駆動する駆動ローラとの間で摩耗が生じ良好に搬送ベルトを走行させることができなくなることもあった。
このため、結果的に搬送ベルトを定期的に交換することが余儀なくされていた。
【０００８】
また、先行して搬送される印刷カードとこのカードに後続する印刷カードとの間に間隔がある場合には、紫外線が直接、搬送ベルトに照射されてその表面が劣化する。この場合、従来においては、紫外線ランプを消灯したり、シャッタなどを用いて遮光する必要があり、構成的に複雑化するという問題もあった。
【０００９】
そこで、本発明は、媒体の搬送手段を熱により劣化させるこなく、簡単な構成で媒体を良好に搬送できるようにした媒体処理装置を提供することを目的とする。
【００１０】
【課題を解決するための手段】
上記した課題を解決するため、請求項１記載のものは、媒体の表面に表面保護膜を転写する転写手段と、この転写手段によって表面保護膜が転写された媒体を搬送する搬送手段と、この搬送手段により搬送される媒体の表面保護膜に紫外線を照射して硬化させる紫外線照射手段とを具備し、前記搬送手段は、基材と、この基材の表面に設けられ、前記媒体を載置する耐熱性の複数本の毛体と、前記基材に振動を付与することにより前記毛体を伸縮運動させて前記媒体を搬送させる振動付与手段とを具備する。
【００１１】
請求項７記載のものは、媒体の表面に表面保護膜を転写する転写工程と、この転写工程によって表面保護膜が転写された媒体を搬送する搬送工程と、この搬送工程により搬送される媒体の表面保護膜に紫外線を照射して硬化させる紫外線照射工程とを具備し、前記搬送工程は、基材の表面に設けられ、前記媒体を載置する耐熱性の複数本の毛体に対して振動を付与して伸縮運動させることにより前記媒体を搬送させる。
【００１２】
【発明の実施の形態】
以下、本発明を図面に示す実施の形態を参照して詳細に説明する。
図１は、本発明の一実施の形態であるＩＤカード等の照明カードを作成する媒体処理装置を示す構成図である。
【００１３】
この媒体処理装置は、媒体としての身分情報等が印刷された印刷カードＫを供給する印刷カード供給部１、印刷カードＫの表面に表面保護膜２を転写する表面保護膜転写部３、表面保護膜２を硬化させる表面保護膜硬化部４、及び表面保護膜２が硬化された印刷カードＫをスタックする集積部５等を有して構成されている。
【００１４】
上記した印刷カード供給部１は、印刷カードＫをその印刷面側を上にして水平状態で多数枚積層収納する収納庫７を有している。収納庫７内の印刷カードＫは、図示しない取出ローラの回転によって取り出されて表面保護膜転写部３に送込まれるようになっている。
【００１５】
表面保護膜転写部３は、印刷カード供給部１から供給された印刷カードＫを搬送する搬送路９を有している。この搬送路９中には印刷カードＫの搬送方向に沿って順次、取込スイッチ１０ａ，１０ｂ、取込ピンチローラ１１及び取込ドライブローラ１２、入口ガイド１３、ヒートローラ１４及びバックアップローラ１５、出口ガイド１６、排出ピンチローラ１７及び排出ドライブローラ１８、排出スイッチ１９ａ，１９ｂが配設されている。
【００１６】
また、搬送路９の上方部には、転写リボン２１の供給部２２が設けられている。供給部２２は転写リボン２１の送出軸２３、および、転写リボン２１の巻取軸２４を有している。送出軸２３から送り出された転写リボン２１はガイドピン２４ａ，２４ｂによってガイドされてバックアップローラ１５とヒートローラ１４との間に供給されるようになっている。転写リボン２１はリボン２５上に透明な表面保護膜２が積層され、加熱されることによりリボン２５から表面保護膜２が印刷カードＫの表面に転写されるようになっている。
【００１７】
表面保護膜硬化部４はケーシング２７を備え、このケーシング２７の上面部にはランプハウス２８が設けられている。ランプハウス２８内の上部側には冷却用のファン２９が設けられ、このファン２９の下方部にはランプ隔離箱３０が設けられている。ランプ隔離箱３０内には紫外線照射手段としてのＵＶランプ３１が設けられ、このＵＶランプ３１はその下部側を除いてリフレクタ３２によって覆われている。
【００１８】
ケーシング２７の内部には、上記した表面保護膜転写部３から送り出される印刷カードＫを搬送する搬送機構３４が設けられている。この搬送機構３４は後で詳しく述べる。ケーシング２７の一側面側には印刷カードＫを導入させる導入口２７ａが形成され、他側面側には印刷カードＫを排出させる排出口２７ｂが形成されている。
【００１９】
集積部５は、印刷カードＫを取り込む取込ドライブ４３ａ及び取込ピンチローラ４３ｂ、印刷カードＫを検知する開閉アーム用スイッチ４４ａ，４４ｂ、印刷カードＫを集積する集積庫４５及び集積庫４５を開閉する開閉アーム４６を有している。
【００２０】
図２乃至図４は上記した搬送機構３４を示すものである。この搬送機構３４は板面に多数本の毛体３５を千鳥状に植毛した基材としての方向変換板３６と、この方向変換板３６の上面側に対向する状態で配置された固定板３７を備えている。毛体３５は高耐熱性の樹脂材、或いは金属材料によって成形されている。固定板３７には図５にも拡大して示すように、多数個の穴３７ａが千鳥状に穿設され、これら穴３７ａに方向変換板３６に植毛された毛体３５が挿入されて固定板３７から斜め上方に向かって突出されている。
【００２１】
また、搬送機構３４は図１に示すように方向変換板３６に対し振動を付与する振動付与手段としての振動発生装置３９を備えている。振動発生装置３９の動作により方向変換板３６に振動が付与されると、毛体３５がその先端方向に伸縮運動することにより印刷カードＫの搬送力を発生させるようになっている。
【００２２】
方向変換板３６の一端側は図１に示すケーシング２７の導入口２７ａを介して保護膜転写部３の内部に挿入され、この挿入された一端部には方向変換装置４１が接続されている。この方向変換装置４１の動作により、方向変換板３６が往復移動され、毛体３５の傾斜方向を可変することができるようになっている。即ち、方向変換板３６が図５に示すように矢印ａ方向に移動されると、毛体３５は印刷カードＫを前進させる方向に傾斜し、矢印ｂ方向に移動されると、毛体３５は印刷カードＫを後退させる方向に傾斜するようになっている。
【００２３】
次に、上記したように構成される媒体処理装置による照明カードの作成動作について説明する。
印刷カード供給部１から印刷カードＫが供給されて取込スイッチ１０ａ，１０ｂによって検知されると、表面保護膜転写部３が動作されて取込ドライブローラ１２とピンチローラ１１の回転により印刷カードＫが入口ガイド１３にガイドされてヒートローラ１４とバックアップローラ１５との間に送込まれる（供給工程）。この印刷カードＫは転写リボン２１に重ね合わされて搬送されてヒートローラ１４により加熱される。これにより、転写リボン２１から表面保護膜２が印刷カードＫの表面に転写される（転写工程）。表面保護膜２が転写された印刷カードＫは排出ドライブローラ１８とピンチローラ１７とにより挟持されて搬送され、表面保護膜硬化部４へ送り込まれる。この送り込まれる印刷カードＫは排出スイッチ１９ａ，１９ｂにより検知され、この検知に基づいて搬送機構３４が動作される。即ち、振動発生装置３９が動作されて方向変換板３６が振動され、この振動により毛体３５がその先端側に向かって伸縮運動する。この伸縮運動により印刷カードＫが搬送される（搬送工程）。
【００２４】
また、この搬送時には、ＵＶランプ３１が点灯されて紫外線が印刷カードＫの表面保護膜２に照射される。この照射により、表面保護膜２が急速に硬化されることになる（硬化工程）。
表面保護膜２が硬化された印刷カードＫは、排出口２７ｂから排出されて取込ドライブローラ４３ａとピンチローラ４３ｂとにより挟持されて取込まれる。この取込まれる印刷カードＫは開閉アーム用スイッチ４４ａ，４４ｂにより検知され、この検知に基づいて開閉アーム４６が開放されて集積庫４５内に取込まれて集積される。
【００２５】
上記したように、表面保護膜２の硬化部４における搬送機構３４を高耐熱性の樹脂材、或いは金属材料によって成形される多数本の毛体３５により構成し、この毛体３５の伸縮運動により、印刷カードＫを搬送するため、ケーシング２７内が高温状態になっても劣化が少なく、印刷カードＫの搬送状態を良好に維持できる。
【００２６】
また、先行して搬送される印刷カードＫとこのカードに後続する印刷カードＫとの間に間隔がある場合には、紫外線が直接、毛体３５に照射されるが、この場合であっても、毛体３５の劣化が少なく、ＵＶランプ３１を消灯したり、シャッタなどを用いて遮光するといった必要はない。
【００２７】
さらに、印刷カードＫと毛体３５とは点的に接触するため、その接触面積が小さく、印刷カードＫの裏面の汚れも少ない。
【００２８】
図６は本発明の第２の実施の形態を示すものである。
なお、上記した第１の実施の形態で示した部分と同一部分については、同一番号を付してその説明を省略する。
【００２９】
この第２の実施の形態では、毛体３５を千鳥状ではなく、直線的に整列した状態で植毛している。この実施の形態においても上記した第１の実施の形態と同様な効果を得ることができる。
【００３０】
図７は本発明の第３の実施の形態を示すものである。
なお、第１の実施の形態で示した部分と同一部分については、同一番号を付してその説明を省略する。
【００３１】
この第３の実施の形態では、毛体３５の先端にカール部３５ａを形成している。このカール部３５ａの形成により毛体３５の先端部の強度を高めることができる。
【００３２】
図８は本発明の第４の実施の形態を示すものである。
なお、第１の実施の形態で示した部分と同一部分については、同一番号を付してその説明を省略する。
【００３３】
この第４の実施の形態では、毛体５０を複数本の毛材５０ａによって構成している。この第４の実施の形態によれば毛体５０に強いコシを持たせることができ、カードの搬送力を向上させることが可能となる。
その他、本発明はその要旨の範囲内で種々変形実施可能なことは勿論である。
【００３４】
【発明の効果】
本発明は以上説明したように、紫外線が照射される媒体を搬送する搬送手段を高耐熱性を有する複数の毛体により構成し、この毛体の伸縮運動により媒体を搬送するため、高温状態になっても搬送手段の劣化が少なく、媒体を良好に搬送することができる。
【００３５】
また、先行して搬送される媒体とこの媒体に後続する媒体との間に間隔が形成される場合において紫外線が直接、搬送手段に照射されても、搬送手段の劣化が少なく、紫外線ランプを消灯したり、シャッタなどを用いて遮光するといった必要はない。
【００３６】
さらに、媒体と毛体とは点的に接触するため、その接触面積が小さく、媒体の汚れを少なくすることも可能となる。
【図面の簡単な説明】
【図１】本発明の一実施の形態である媒体処理装置を示す概略的構成図。
【図２】同保護膜硬化部におけるカードの搬送機構を示す平面図。
【図３】同搬送機構を示す側面図。
【図４】同搬送機構を示す正面図。
【図５】同搬送機構の毛体の動作を示す図。
【図６】同搬送機構の毛体の他の配列構成を示す平面図。
【図７】同搬送機構の毛体の変形例を示す図。
【図８】同搬送機構の毛体の変形例を示す図。
【符号の説明】
２…表面保護膜、Ｋ…印刷カード（媒体）、３…表面保護膜転写部（転写手段）、３１…紫外線ランプ（紫外線照射手段）、３４…搬送機構（搬送手段）、３５…毛体、３５ａ…毛材、３６…方向変換板（基材）、３７…固定板、３７ａ…通孔、３９…振動発生装置（振動付与手段）、４１…方向変換装置（可変手段）。
【図１】
2004307102.tif 000003
【図２】
2004307102.tif 000004
【図３】
2004307102.tif 000005
【図４】
2004307102.tif 000006
【図５】
2004307102.tif 000007
【図６】
2004307102.tif 000008
【図７】
2004307102.tif 000009
【図８】
2004307102.tif 000010